(57)【要約】【課題】  一対のフック部材を被施錠対象の係止部に上下両側から挟着するようにして、係止部とフック部材のがたつきを解消し、もって不正防止の向上を図る施錠装置を提供する。【解決手段】  縦長の支持基板３０と、支持基板の上下方向に沿って移動自在に設けられた縦長のスライド部材３１と、支持基板に開閉自在に枢着された一対のフック部材３２，３３と、一対のフック部材のそれぞれの基端部に連結したＶ字形リンク３６と、支持基板に設けられスライド部材の移動に連動して上下動すると共にＶ字形リンクに当接し該Ｖ字形リンクを押動可能に配置された押動部材３６と、支持基板に設けられＶ字形リンクの枢支部５８を該支持基板の幅方向へ移動させるガイド部４１とを備え、一対のフック部材が被施錠対象の係止部に上下両側から挟着されるようにした。【選択図】  図８
2019076184.tif 000002
【特許請求の範囲】
【請求項１】
縦長の支持基板と、前記支持基板の上下方向に沿って移動自在に設けられた縦長のスライド部材と、前記支持基板に開閉自在に枢着され先端が鉤状に形成された一対のフック部材と、一対のリンク部材の一端部を回動可能に枢支すると共にそれぞれの他端部を前記一対のフック部材のそれぞれの基端部に連結したＶ字形リンクと、前記支持基板に設けられ前記スライド部材の移動に連動して上下動すると共に前記Ｖ字形リンクに当接し該Ｖ字形リンクを押動可能に配置された押動部材と、前記支持基板に設けられ前記Ｖ字形リンクの枢支部を該支持基板の幅方向へ移動させるガイド部と、前記スライド部材及び前記押動部材を付勢する弾性部材とを備え、
施錠時においては、前記一対のフック部材が被施錠対象側に設けられた係止部に両側から挟着し、解錠するにあたり前記スライド部材を前記弾性部材の付勢に抗して移動させると、該スライド部材に連動して移動した前記押動部材が前記Ｖ字形リンクの枢支部を前記支持基板の幅方向へと移動させて前記一対のフック部材が拡開し、該フック部材が前記係止部から外れるようにしたことを特徴とする遊技機の施錠装置。
【請求項２】
前記押動部材は、前記Ｖ字形リンクと対向位置するように配置され、その対向側にＶ字形リンクを受け容れる凹部が形成されていることを特徴とする請求項１記載の遊技機の施錠装置。
【請求項３】
前記押動部材の凹部にＶ字形リンクの枢支部を受け容れる窪部が形成されていることを特徴とする請求項２記載の遊技機の施錠装置。
【発明の詳細な説明】
【技術分野】
【０００１】
本発明は、遊技機に装着される施錠装置に関するものである。
【背景技術】
【０００２】
パチンコ遊技機やスロットマシン等の遊技機には、遊技機本体や前面扉を施錠・解錠するための施錠装置が装着されているが、こうした施錠装置の一般的なものとして、遊技機本体の側面に、鉤部が形成された施錠杆を摺動自在に設けているものが広く知られている。そして、遊技機の前面から鍵を操作することで施錠杆が上下動するようにし、この上下動によって、施錠装置の鉤部が被施錠対象の係止部に係止されるようにしている。
【先行技術文献】
【特許文献】
【０００３】
【特許文献１】特開２０００−１５３０４６号公報
【発明の概要】
【発明が解決しようとする課題】
【０００４】
しかしながら、特許文献１に示されているような一般的な施錠装置は、その鉤部が被施錠対象に設けられている係止部の上方又は下方のいずれか一方側からのみ係止するように構成されている。そのため、鉤部が係止部に当接係止している側と反対の方向へ前面扉や本体枠を持ち上げたり押し下げたりすると、どうしても若干のがたつきを生じてしまうという問題を有している。そして、前述のように若干のがたつきがあるということは、前面扉や本体枠を持ち上げたり押し下げた際、前面扉と本体枠、本体枠と外枠の間にわずかな隙間を生じさせてしまうおそれがあり、こうした隙間から針金等を挿入して不正が行われてしまう可能性がある。また、施錠杆を摺動させて鉤部を係止させる一般的な施錠装置の場合、施錠の際に鉤部を係止部に衝突させるため、この回数が増えると、鉤部が次第に摩耗したり変形し、がたつきの度合いが増大することもあり、ひいては、不正されてしまう危険性をも増大させてしまうことになり兼ねない。また、仮に、複数の鉤部のうちのいずれかが破損してしまった場合には、その部分の施錠ができなくなって、より不正が行われる危険性を増大させてしまう。
【０００５】
そこで、本発明は、上記課題を解決するために、縦長の支持基板に一対のフック部材を開閉自在に設け、該一対のフック部材が被施錠対象に設けられた係止部の両側から挟着するように構成し、フック部材と係止部とのがたつきが一切発生することのない遊技機の施錠装置を提供することを目的としている。
【課題を解決するための手段】
【０００６】
上記のような課題を解決するために本発明に係る遊技機の施錠装置は、縦長の支持基板と、前記支持基板の上下方向に沿って移動自在に設けられた縦長のスライド部材と、前記支持基板に開閉自在に枢着され先端が鉤状に形成された一対のフック部材と、一対のリンク部材の一端部を回動可能に枢支すると共にそれぞれの他端部を前記一対のフック部材のそれぞれの基端部に連結したＶ字形リンクと、前記支持基板に設けられ前記スライド部材の移動に連動して上下動すると共に前記Ｖ字形リンクに当接し該Ｖ字形リンクを押動可能に配置された押動部材と、前記支持基板に設けられ前記Ｖ字形リンクの枢支部を該支持基板の幅方向へ移動させるガイド部と、前記スライド部材及び前記押動部材を付勢する弾性部材とを備え、施錠時においては、前記一対のフック部材が被施錠対象側に設けられた係止部に両側から挟着し、解錠するにあたり前記スライド部材を前記弾性部材の付勢に抗して移動させると、該スライド部材に連動して移動した前記押動部材が前記Ｖ字形リンクの枢支部を前記支持基板の幅方向へと移動させて前記一対のフック部材が拡開し、該フック部材が前記係止部から外れるようにしたことを特徴としている。
【０００７】
また、前記押動部材は、前記Ｖ字形リンクと対向位置するように配置され、その対向側にＶ字形リンクを受け容れる凹部が形成されていることを特徴としている。
【０００８】
さらに、本発明に係る遊技機の施錠装置は、前記押動部材の凹部にＶ字形リンクの枢支部を受け容れる溝部が形成されていることを特徴としている。
【発明の効果】
【０００９】
本発明に係る遊技機の施錠装置によれば、被施錠対象に設けられた係止部にフック部材が両側から挟着することになるので、フック部材と係止部との間で発生するがたつきを完全に解消することができ、ひいては遊技機に対する不正を防止することができる。
【図面の簡単な説明】
【００１０】
【図１】パチンコ遊技機の正面斜視図。
【図２】パチンコ遊技機の右側面斜視図。
【図３】施錠装置の分解斜視図。
【図４】（ａ）施錠装置の左側面図。（ｂ）施錠装置の右側面図。
【図５】スライド板を外した施錠装置の左側面図。
【図６】施錠装置の要部拡大斜視図。
【図７】施錠装置の要部拡大斜視図。
【図８】施錠装置の作用図。
【図９】シリンダ錠のカム部材と施錠装置の受止部材の関係図。
【発明を実施するための形態】
【００１１】
以下、本発明の実施の形態について、図面を参照しながら説明する。なお、本発明に係る施錠装置は、例えば、パチンコ遊技機、スロットマシン、雀球機、アレパチ機等の種々の遊技機に適用可能であるが、本実施の形態では、パチンコ遊技機に適用した例を説明する。そこで、まず、本発明に係る施錠装置が適用されるパチンコ遊技機についてあらかじめ説明しておく。図１は施錠装置が装着されたパチンコ遊技機の正面斜視図、図２は施錠装置が装着されたパチンコ遊技機の右側面斜視図である。パチンコ遊技機は、遊技機本体１と、前面扉２とによって概略構成されており、このうち、遊技機本体１は、縦長な方形状に枠組み形成される外枠３と、外枠３の一側にヒンジ機構４，４によって開閉自在に装着される本体枠５とからなっている。そして、本体枠５の前面一側に前面扉２がヒンジ機構６，６によって開閉自在に装着されている。また、このパチンコ遊技機には、外枠３に対し本体枠５を開放及び施錠し、本体枠５に対し前面扉２を開放及び施錠する施錠装置７が設けられている。なお、この実施形態において「前側」とは、パチンコ遊技機の正面側、「後側」とは、パチンコ遊技機の背面側、「右側」「左側」とは、パチンコ遊技機を正面から見た場合の右側、左側をそれぞれ指すこととする。
【００１２】
前記外枠３は、上下に配置される上枠板１０及び下枠板１１、左右に配置される側枠板１２，１２を組み合わせることで縦長な方形枠状に形成されている。また、下枠板１１の前方には、合成樹脂製の装飾カバー１３が装着されている。なお、外枠３の開放側内側面の上部と下部の２箇所に、後述する施錠装置７の本体枠用フック部材３２，３３の鉤状部３２ｃ，３３ｃが係止される係止部１４，１４が固着されている。なお、係止部１４は、図８に示されているように、平板状の取付基板１４ａの前側半部の上下両側に係止凸部１４ｂ，１４ｂを設けて形成されている。
【００１３】
前記本体枠５は、上下に配置される上囲繞部材１５及び下囲繞部材１６、左右に配置される側部囲繞部材１７，１７を組み合わせることで縦長な方形枠状に形成されており、そのサイズは、外枠３の装飾カバー１３を除く前面を略覆うサイズになっている。また、本体枠５の下囲繞部材１６の上側に、方形状の遊技盤収納凹部１８が形成されており、この遊技盤収納凹部１８に図示はしないが遊技球を流下させる遊技盤が配設されることになる。そして、この遊技盤の前面には、入賞装置、遊技釘、球誘導レール等が配設され、遊技盤の後側には、球タンク、通路部材、球払出装置、各種制御基板等が配設されることになる。また、下囲繞部材１６には、図示はしないが打球発射装置等が配設されることになる。さらに、本体枠５の開放側外側面に施錠装置７が装着されている。この施錠装置７についての詳細は後述する。また、本体枠５の前面右下、具体的には、本体枠５の前面であり右側部囲繞部材１７と下囲繞部材１６が交差する位置に、後述するシリンダ錠２４の後端に装着されているカム部材２５を受け入れるカム用凹部１９が形成されていると共に、カム用凹部１９内に後述するスライド板３１に形成されている受止部材７６が位置するようになっている。
【００１４】
前記前面扉２は、上下に配置される上枠部材２０及び下枠部材２１、左右に配置される側枠部材２２，２２を組み合わせることで縦長な方形枠状に形成されており、そのサイズは、本体枠５の前面を略覆うサイズになっている。このうち、下枠部材２１は、本体枠５の下囲繞部材１６の前面全体を覆う板状に形成されている。また、前面扉２の下枠部材２１を除く部分は開放部になっており、図示はしないが該開放部を後方から塞ぐようにして一対の透明板ユニットが装着されることになる。さらに、前面扉２の下枠部材２１の前面には、図示はしないが球受皿、操作ハンドル等が装着されることになり、また、前面扉２の周囲前面には、装飾用の合成製樹脂カバーが装着されることになる。さらに、前面扉２の開放側内側面の上部１箇所と下部２箇所に、後述する施錠装置の前面扉用フック部材３８の鉤状部３８ｃが係止される係止部２３，２３，２３が固着されている。なお、図１及び図２に示されているように、前面扉２の右下、具体的には、右側枠部材２２と下枠部材２１が交差する位置に、シリンダ錠２４が前後方向に貫通状に装着されている。そして、シリンダ錠２４の後端に後述するスライド板３１に形成されている受止部材７６と係合させるカム部材２５が装着されている。
【００１５】
次に、パチンコ遊技機に装着される施錠装置７について説明する。図３は施錠装置７の分解斜視図、図４（ａ）は施錠装置７の右側面図、図４（ｂ）は施錠装置７の左側面図、スライド板３１を取り外した施錠装置７の左側面図である。この施錠装置７は、縦長の支持基板と３０、支持基板３０の上下方向に沿って移動自在に設けられた縦長のスライド部材としてのスライド板３１と、支持基板３０に軸支され先端が鉤状に形成された一対の本体枠用フック部材３２，３３と、一対のリンク部材３４，３５の一端部を回動可能に枢支すると共にそれぞれの他端部を一対の本体枠用フック部材３２，３３のそれぞれの基端部に連結したＶ字形リンク３６と、支持基板３０に設けられスライド板３１の移動に連動して上下動する押動部材３７と、支持基板３０に軸支され先端が鉤状に形成された前面扉用フック部材３８とによって概略構成されている。
【００１６】
前記支持基板３０は、図３に示されているように、縦長な金属製の帯板からなり、その上下方向の長さが本体枠５の上下方向の長さよりも若干短い基板本体３０ａと、該基板本体３０ａの前側縁が直角に折曲されて形成された細幅の前側壁部３０ｂと、後側縁が直角に折曲されて形成された細幅の後側壁部３０ｃと、後側壁部３０ｃの端部がさらに直角に折曲されて形成された細幅の取付片部３０ｄとによって構成されている。なお、取付片部３０ｄには、施錠装置７を本体枠５に取り付けるための３つの螺子孔３０ｅ，３０ｅ，３０ｅが穿設されている。また、支持基板３０の基板本体３０ａの後側縁であり、その上部と下部のそれぞれに矩形状に切り欠かれた切欠部４０，４０が形成されている。また、基板本体３０ａであり切欠部４０，４０の上下方向中央部の側方には、幅方向に所定の長さを有する案内長孔４１，４１が穿設されている。この案内長孔４１，４１は、Ｖ字形リンク３６の後述する枢支ピン５８（枢支部）を基板本体３０ａの幅方向へ直線的に移動させるためのガイド部としての役割を果たすことになる。さらに、支持基板３０の前側縁であり、その上部と中間部と下部の３箇所に前面扉用フック部材３８を前方へ突出させると共に該前面扉用フック部材３８を一定の範囲内で回動させるための前面扉用フック開口４２，４２，４２が穿設されている。この前面扉用フック開口４２，４２，４２は、基板本体３０ａと前側壁部３０ｂの双方に跨がるように細幅矩形状に穿設されている。また、支持基板３０の基板本体３０ａには、各種部材を軸支するための軸孔が複数穿設されている。すなわち、基板本体３０ａの上部、中間部、下部のそれぞれにスライド板３１を軸支するためのスライド板用軸孔４３，４３，４３が穿設されている。また、基板本体３０ａの上下の切欠部４０，４０のそれぞれの上側の内側隅角部近傍と下側の内側隅角部近傍に本体枠用フック部材３２，３３を軸支するための本体枠用フック軸孔４４，４５がそれぞれ２箇所ずつ穿設されていると共に、基板本体３０ａの上下の案内長孔４１，４１のそれぞれの前端部を跨ぐように押動部材３７を軸支するための押動部材用軸孔４６，４７がそれぞれ２箇所ずつ穿設されている。さらに、支持基板３０の前面扉用フック開口４２，４２，４２のそれぞれの下端からやや後側位置に前面扉用フック軸孔４８，４８，４８が穿設されている。なお、上下のそれぞれの押動部材用軸孔４６，４６の上方にバネ掛け片４９，４９が突出形成されていると共に、中央の前面扉用フック開口４２の上端から後側位置にバネ掛け片５０が形成されている。
【００１７】
前記支持基板３０の基板本体３０ａであり、その後側縁の上下の切欠部４０，４０のそれぞれに対応する位置に、一対の本体枠用フック部材３２，３３が開閉自在に軸着されている。この本体枠用フック部材３２，３３は、縦板部３２ａ，３３ａと横板部３２ｂ，３３ｂとによってＬ字形に形成された金属製の板材で、さらに、横板部３２ｂ，３３ｂの先端部には直角に屈曲する鉤状部３２ｃ，３３ｃが形成されている。また、縦板部３２ａ，３３ａの基端部には、Ｖ字形リンク３６を連結させるためのフランジ付きピン５１，５２が突出形成されている。また、一対の本体枠用フック部材３２，３３のうち、下側に位置する本体枠用フック部材３３の横板部３３ｂの先端寄りの位置にバネ掛け片５３が形成されている。そして、本体枠用フック部材３２，３３の中間部、すなわち、縦板部３２ａ，３３ａと横板部３２ｂ，３３ｂの境界部の軸孔に回転軸ピン５４，５５が挿入されて基板本体３０ａの本体枠用フック軸孔４４，４５に軸着されている。これにより、本体枠用フック部材３２，３３は、互いに鉤状部３２ｃ，３３ｃが上下に対向することになり、また、回転軸ピン５４，５５を支点として開閉自在となっている。さらに、本体枠用フック部材３２，３３の基端部にＶ字形リンク３６が装着されている。このＶ字形リンク３６は、対をなす細幅等長の金属板からなるリンク部材５６，５７の一端部を重ね合わせ、この重合部分を互いに枢支ピン５８によって回動自在に枢着し、他端部を本体枠用フック部材３２，３３のフランジ付きピン５１，５２に軸着している。なお、Ｖ字形リンク３６の一端側を枢着する枢支ピン５８は、図３に示されているように、基板本体３０ａの後側から案内長孔４１に挿入した後にリンク部材５６，５７の重合部に枢着している。従って、Ｖ字形リンク３６の枢支部である枢支ピン５８は、案内長孔４１内を自由に移動し得ることになる。さらに、Ｖ字形リンク３６の枢支部の前側には、Ｖ字形リンク３６と対向するように押動部材３７が配置されている。この押動部材３７は、金属製の板材からなり、Ｖ字形リンク３６と対向する部位が内側に向かって切り欠かれてＶ字形リンク３６を受け容れるための受容凹部５９が形成されている。さらに、受容凹部５９の最奥部の下側にＶ字形リンク３６の枢支ピン５８を嵌合させるための嵌合窪部６０が形成されている。また、押動部材３７には、上下方向に所定長さを有する摺動長孔６１，６１が上下方向に並列状に穿設されており、この摺動長孔６１，６１に摺動軸６２，６２が挿通されて支持基板３０ａの押動部材用軸孔４６，４６に軸支されている。これにより、押動部材３７は、摺動長孔６１，６１の範囲内で上下に移動し得ることになる。また、押動部材３７の上部には、押動部材３７から直角に突出する掛止片６３と、バネ掛け片６４が形成されており、このバネ掛け片６４と支持基板３０のバネ掛け片４９に弾性部材としてのコイルバネ６５が装着されている。これにより、押動部材３７は、上方に付勢された状態になっている。
【００１８】
前記支持基板３０であり、その前側縁の上部、中間部、下部の前面扉用フック開口４２，４２，４２のそれぞれに対応する位置に前面扉用フック部材３８，３８，３８が回動自在に軸着されている。この前面扉用フック部材３８は、円形状の軸受部３８ａと、該軸受部３８ａから前方へ延出する横長矩形状の腕板部３８ｂと、該腕板部３８ｂの先端に形成された下向きの鉤状部３８ｃとによって形成されている。そして、前面扉用フック部材３８の腕板部３８ｂ及び鉤状部３８ｃを前面扉用フック開口４２から突出させ、軸受部３８ａの軸孔からピン６５を挿入して基板本体３０ａの前面扉用フック軸孔４８に回動自在に軸支されている。また、前面扉用フック部材３８の軸受部３８ａの後端には、バネ掛け片６７が形成されている。なお、支持基板３０の上部と下部に設けられる前面扉用フック部材３８，３８は、そのバネ掛け片６７，６７と本体枠用フック部材３３，３３のバネ掛け片５３，５３にコイルバネ６８，６８が装着されており、支持基板３０の中間部に設けられている前面扉用フック部材３８は、そのバネ掛け片６７と基板本体３０ａのバネ掛け片５０にコイルバネ６９が装着されている。
【００１９】
前記スライド板３１は、縦長な金属製の帯板からなり、その上下方向の長さが支持基板３０の上下方向の長さよりも若干短く設定されている。また、スライド板３１の前後両側縁のそれぞれであり、その上端と下端、及び中間部の２箇所に後方へ直角に突出する摺動脚部７０，７０，７０・・・が形成されている。そして、スライド板３１の各摺動脚部７０が支持基板３０の前側壁部３０ｂと後側壁部３０ｃの内側に位置するように配置されている。また、前側壁部３０ｂ側に位置する摺動脚部７０は、図８に示されているように、前面扉用フック部材３８の突出片部３８ｂの下端に当接するようになっている。また、スライド板３１の上部、中間部、下部のそれぞれに移動用長孔７１，７１，７１が穿設されており、この移動用長孔７１，７１，７１に軸７２，７２，７２が挿通されてスライド板用軸孔４３，４３，４３に軸支されている。また、上部の移動用長孔７１の下方、及び下部の移動用長孔７１の上方に掛止用長孔７３，７３が穿設されている。そして、これら２つの移動用長孔７１，７１から押動部材３７，３７の掛止片６３，６３が突出するようになっている。これにより、スライド板３１が上下に移動すると、これに連動して押動部材３７も移動することになる。さらに、スライド板３１の前側縁の下方であり、本体枠用フック部材３２よりもやや上側に矩形状に切り欠かれた凹部が形成されており、この凹部の上下方向の中央部に細長平板状の取付片部７５が形成されている。そして、この取付片部７５に合成樹脂製の受止部材７６が螺着されている。なお、この受止部材７６は、図９に示されているように、前面扉２に設けられたシリンダ錠２４のカム部材２５と係合し得る位置にあり、前面扉２を本体枠５に閉止すると、受止部材７６がコ字形に形成されたカム部材２５の内側に入り込むことになる。これにより、前面扉２が本体枠５に閉止されている状態において、シリンダ錠２４が回転すると、受止部材７６も回転し、その結果、スライド板３１が上下動することになる。
【００２０】
次に、上記のように構成された施錠装置の作用について説明する。外枠３に対し本体枠５が閉止施錠され、且つ本体枠５に対し前面扉２が閉止施錠されている状態において、まず、外枠３と本体枠５の関係を見ると、図８（ａ）に示されているように、外枠３に設けられている係止部１４の係止凸部１４ｂ，１４ｂの両側に施錠装置７の本体枠用フック部材３２，３３が挟着されている。そして、本体枠用フック部材３２，３３のそれぞれに連結されているＶ字形リンク３６が押動部材３７の受容凹部５９内に受け入れられている。この時、図７に示されているように、Ｖ字形リンク３６の枢支ピン５８が押動部材３７の嵌合窪部６０内に嵌合されているため、Ｖ字形リンク３６は不動の状態で固定され、故に、本体枠用フック部材３２，３３は、係止凸部１４ｂ，１４ｂに対し閉止されている状態が維持される。このように、本体枠用フック部材３２，３３が係止凸部１４ｂ，１４ｂの両側から挟着し、且つＶ字形リンク３６の枢支ピン５８が押動部材３７の嵌合窪部６０内に嵌合していることから、本体枠用フック部材３２，３３のがたつきを完全に解消することができる。なお、図７は、Ｖ字形リンク３６の枢支ピン５８と押動部材３７の嵌合窪部６０の係合状態を示すため、Ｖ字形リンク３６を点線で示し、嵌合窪部６０を透視状に表している。
【００２１】
外枠３から本体枠５を解錠し開放する場合、まず、前面扉２の前方に突出するシリンダ錠２４にキー８０を挿入し、キー８０を時計回り方向へと回転させる。そうすると、シリンダ錠２４の錠軸の後端部に装着されているカム部材２５が回転すると共に、これと係合している施錠装置７のスライド板３１に設けられた受止部材７６が下方へと押し下げられる。これにより、スライド板３１がコイルバネ６５の付勢に抗して下方へと移動する。ここで、図８（ｂ）に示されているように、スライド板３１の掛止用長孔７３に押動部材３７の掛止片６３が突出していることから、スライド板３１の下動に連動して押動部材３７も下動する。そして、押動部材３７が下動すると、押動部材３７の嵌合窪部６０の位置が下方に移動し、嵌合窪部６０とＶ字形リンク３６の枢支ピン５８の嵌合状態が解除される。同時に、Ｖ字形リンク３６の上縁部分を押動部材３７の受容凹部５９の上辺部分が押すことになる。ここで、押動部材３７の上辺部分は、内側に向かって下傾する傾斜状になっているため、押動部材３７に押されたＶ字形リンク３６の枢支ピン５８は、支持基板３０の案内長孔４１に沿って後方へ直線的に移動する。これにより、Ｖ字形リンク３６のリンク部材３６，３７の先端部の双方が拡開し、これらとフランジ付きピン５１，５２で連結している本体枠用フック部材３２，３３の基端部が回動する。また、下側の本体枠用フック部材３３は、コイルバネ６８により下方に付勢されていることから、この付勢力と相俟って、本体枠用フック部材３２，３３は、図８（ｃ）に示されているように、完全に拡開した状態となり、外枠３の係止部１４の係止凸部１４ｂ，１４ｂとの係合が解除される。
【００２２】
他方、本体枠５を外枠３に再び施錠する場合は、図８（ｃ）の状態から、本体枠５を外枠３に対して押し込む。そうすると、図８（ｂ）に示されているように、本体枠用フック部材３２，３３の縦板部３２ａ，３３ａの後側縁から後方へ突出する突出部７７，７８が外枠３の係止部１４に当接し、本体枠用フック部材３２，３３の基端部を前方へと移動させる。また、これに伴って、本体枠用フック部材３２，３３の基端部のフランジ付きピン５１，５２と連結されたＶ字形リンク３６も閉じるように回動し、同時にＶ字形リンク３６の枢支ピン５８が支持基板３０の案内長孔４１にそって前方へと直線的に移動する。そして、本体枠５を外枠３に対し完全に閉止させると、本体枠用フック部材３２，３３が外枠３の係止部１４，１４に上下両側から挟着し、本体枠用フック部材３２，３３の鉤状部３２ｃ，３３ｃが係止部１４の係止凸部１４ｂ，１４ｂに係合され、且つ施錠される。
【００２３】
次に、前面扉２と本体枠５の関係を見ると、前面扉２が本体枠５に対して施錠されている時は、図８に示されているように、施錠装置７の前面扉用フック部材３８の鉤状部３８ｃが、前面扉２の係止部２３に上方から係止した状態となっている。この時、施錠装置７のスライド板３１の摺動脚部７０が前面扉用フック部材３８の腕板部３８ｂの基端部下面に当接している。ここで、前面扉２の前方に突出するシリンダ錠２４にキー８０を挿入し、キー８０を反時計回り方向へと回転させる。そうすると、シリンダ錠２４の錠軸の後端部に装着されているカム部材２５が回転すると共に、これと係合している施錠装置７のスライド板３１に設けられた受止部材７６が上方へと押し上げられる。これにより、スライド板３１がコイルバネ６９の付勢に抗して上方へと移動する。そして、図示はしないが、スライド板３１が上動すると、前面扉用フック部材３８の下面に当接している摺動脚部７０が前面扉用フック部材３８をコイルバネ６８の付勢に抗して押し上げるため、前面扉用フック部材３８の鉤状部３８ｃと前面扉２の係止部２３の係合状態が解除される。
【００２４】
なお、上記実施の形態では、被施錠対象を外枠とした例を示したが、被施錠対象を前面扉とすることも可能であり、また、外枠と前面扉の双方とすることも可能である。また、上記実施の形態では、Ｖ字形リンクの枢支部のガイド部として、支持基板に穿設した案内長孔を例として示したが、これに限られず、例えば、Ｖ支持基板に壁を形成するなどして、Ｖ字形リンクの枢支部をガイドするように構成することも可能である。
【符号の説明】
【００２５】
３０      支持基板
３１      スライド部材（スライド板）
３２      フック部材（本体枠用フック部材）
３３      フック部材（本体枠用フック部材）
３４      リンク部材
３５      リンク部材
３６      Ｖ字形リンク
３７      押動部材
４１      ガイド部（案内長孔）
５９      凹部（受容凹部）
６０      嵌合窪部
６５      弾性部材（コイルバネ）
６８      弾性部材（コイルバネ）
６９      弾性部材（コイルバネ）
【図１】
2019076184.tif 000003
【図２】
2019076184.tif 000004
【図３】
2019076184.tif 000005
【図４】
2019076184.tif 000006
【図５】
2019076184.tif 000007
【図６】
2019076184.tif 000008
【図７】
2019076184.tif 000009
【図８】
2019076184.tif 000010
【図９】
2019076184.tif 000011